(57)【要約】【課題】料理工程における調味料調合の利便性を向上させることが可能な情報処理装置、制御方法、および記録媒体を提供する。【解決手段】入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御する制御部を備える、情報処理装置。【選択図】図１
2018040568.tif 000002
【特許請求の範囲】
【請求項１】
入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御する制御部を備える、情報処理装置。
【請求項２】
前記制御部は、ユーザ状況として取得した人数に対応する調味料の分量を、前記レシピデータから算出する、請求項１に記載の情報処理装置。
【請求項３】
前記制御部は、ユーザ状況として取得したユーザの好みの味に対応する調味料の分量を、前記レシピデータから算出する、請求項１に記載の情報処理装置。
【請求項４】
前記制御部は、ユーザ状況として取得したユーザの健康状態に適した調味料の分量を、前記レシピデータから算出する、請求項１に記載の情報処理装置。
【請求項５】
前記制御部は、ユーザ状況として取得したユーザの属性に適した調味料の分量を、前記レシピデータから算出する、請求項１に記載の情報処理装置。
【請求項６】
前記制御部は、前記レシピデータに示される料理工程に基づいて、調味料排出の順序を決定する、請求項１に記載の情報処理装置。
【請求項７】
前記制御部は、所定のトリガを検出した際に、前記調味料収容部からの調味料の排出を開始するように制御する、請求項１に記載の情報処理装置。
【請求項８】
前記所定のトリガは、排出口付近に前記調味料を受け取る調理器具が認識された場合である、請求項７に記載の情報処理装置。
【請求項９】
前記所定のトリガは、ユーザによる排出指示の操作、音声、またはジェスチャーによる入力である、請求項７に記載の情報処理装置。
【請求項１０】
前記情報処理装置は、
調味料を収納する複数の調味料収容部と、
前記調味料を排出する排出口と、
通信部と、
をさらに備えるディスペンサー装置であり、
前記通信部は、前記レシピデータおよびユーザ状況を外部装置から受信する、請求項１に記載の情報処理装置。
【請求項１１】
前記情報処理装置は、
前記レシピデータおよびユーザ状況に基づく調味料の排出を指示するボタンを表示する表示部をさらに備える、請求項１０に記載の情報処理装置。
【請求項１２】
前記情報処理装置は、
前記レシピデータおよびユーザ状況の入力画面を表示し、さらに前記レシピデータおよびユーザ状況をディスペンサー装置に送信するように指示するボタンを表示する表示部をさらに備える、請求項１に記載の情報処理装置。
【請求項１３】
前記レシピデータは、インターネット上の所定のサービスサーバから取得される、請求項１に記載の情報処理装置。
【請求項１４】
プロセッサが、
入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御することを含む、制御方法。
【請求項１５】
コンピュータを、
入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御する制御部として機能させるためのプログラムが記憶された、記憶媒体。
【発明の詳細な説明】
【技術分野】
【０００１】
本開示は、情報処理装置、制御方法、および記録媒体に関する。
【背景技術】
【０００２】
近年、料理専門家や一般ユーザによるレシピがインターネット上で公開され、ユーザはスマートフォンやタブレット端末でレシピを検索し、これを参照しながら料理を行うことがよく行われている。
【０００３】
例えば下記特許文献１では、レシピを見ながら料理を行う際のユーザの煩わしさを解消するために、例えば料理工程をスピーカから音声で出力したり、ユーザが音声でタイマーをスタートさせたりすることができる情報提供装置が提案されている。
【先行技術文献】
【特許文献】
【０００４】
【特許文献１】特開平９−２８２１３９号公報
【発明の概要】
【発明が解決しようとする課題】
【０００５】
ここで、料理工程において複数の調味料を調合する工程は、とても手間がかかるものであった。ユーザは、レシピを見ながら必要な調味料容器を冷蔵庫や収納棚からそれぞれ取り出し、計量スプーンで用いて計量し、カップ等で混ぜ合わせる必要があった。
【０００６】
さらに、レシピで想定されている人数と実際の人数が異なる場合は、ユーザは調味料の分量を自ら計算しなければならなかった。
【０００７】
そこで、本開示では、料理工程における調味料調合の利便性を向上させることが可能な情報処理装置、制御方法、および記録媒体を提案する。
【課題を解決するための手段】
【０００８】
本開示によれば、入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御する制御部を備える、情報処理装置を提案する。
【０００９】
本開示によれば、プロセッサが、入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御することを含む、制御方法を提案する。
【００１０】
本開示によれば、コンピュータを、入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御する制御部として機能させるためのプログラムが記憶された、記憶媒体を提案する。
【発明の効果】
【００１１】
以上説明したように本開示によれば、料理工程における調味料調合の利便性を向上させることが可能となる。
【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の一実施形態による情報処理システムの概要について説明する図である。
【図２】第１の実施形態による情報処理システムの概要について説明する図である。
【図３】第１の実施形態によるディスペンサー装置の内部構成の一例を示すブロック図である。
【図４】第１の実施形態による調味料収容部から調味料を排出する構造の一例を示す模式図である。
【図５】第１の実施形態による調味料収容部から調味料を排出する構造の一例を示す模式図である。
【図６】第１の実施形態によるユーザ端末の構成を示す図である。
【図７】第１の実施形態による動作処理を示すシーケンス図である。
【図８】第１の実施形態によるユーザ端末におけるレシピ検索画面の一例を示す図である。
【図９】第１の実施形態によるユーザ端末におけるレシピデータの詳細画面の一例を示す図である。
【図１０】第１の実施形態によるユーザ状況入力画面の一例を示す図である。
【図１１】第１の実施形態による排出待機時の表示部における表示画面例を示す図である。
【図１２】第１の実施形態による調味料の分量の設定画面の一例を示す図である。
【図１３】第２の実施形態による情報処理システムの全体構成について説明する図である。
【図１４】第２の実施形態によるサーバの構成の一例を示すブロック図である。
【図１５】第２の実施形態による動作処理を示すシーケンス図である。
【図１６】第３の実施形態による情報処理システムの全体構成について説明する図である。
【図１７】第３の実施形態によるユーザ端末における連携サービスの選択画面の一例を示す図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、説明は以下の順序で行うものとする。
１．本開示の一実施形態による情報処理システムの概要
２．第１の実施形態
２−１．概要
２−２．ディスペンサー装置１の構成
２−３．ユーザ端末２の構成
２−４．動作処理
３．第２の実施形態
３−１．概要
３−２．サーバ３の構成
３−３．動作処理
４．第３の実施形態
５．補足
６．まとめ
【００１６】
＜＜１．本開示の一実施形態による情報処理システムの概要＞＞
図１は、本開示の一実施形態による情報処理システムの概要について説明する図である。図１に示すように、本実施形態によるディスペンサー装置１は、上部内部に複数の調味料収容部１３が配置され、各調味料が自動的に所定の分量下部に排出される。
【００１７】
下部に排出される調味料８は、例えばお玉等の調理器具７で受け取られる。ディスペンサー装置１は、例えば調味料の排出口（不図示）付近に調理器具７がセットされたことをセンサにより検知した場合、所定の分量の１以上の調味料を排出することが可能である。これによりユーザは、調味料を一つ一つ手作業で計量することなく、必要な調味料を必要分だけディスペンサー装置１からお玉等で受け取ることができる。
【００１８】
なお、複数の調味料が排出される場合、順次排出されて調理器具７内で混ぜ合わされてもよいし、ディスペンサー装置１内で混ぜ合わせた上で排出されてもよい。
【００１９】
また、ディスペンサー装置１の上面には、表示部１７が設けられていてもよい。表示部１７には、排出する調味料に関する説明や排出ボタン等が表示される。
【００２０】
以上、本開示の一実施形態による情報処理システムについて説明した。続いて、本実施形態による情報処理システムについて、複数の実施形態を用いて具体的に説明する。
【００２１】
＜＜２．第１の実施形態＞＞
＜２−１．概要＞
図２は、第１の実施形態による情報処理システムの概要について説明する図である。図１に示すように、本実施形態による情報処理システムは、スマートフォン等のユーザ端末２とディスペンサー装置１とを含む。
【００２２】
ユーザ端末２は、クラウド４０上（ネットワーク上）のレシピサイト４１にアクセスしてレシピデータを受信し、表示部に表示する。また、ユーザ端末２は、ユーザによる指示（例えばＯＫボタンのタップ）に応じて、選択されたレシピデータをディスペンサー装置１に送信する。ディスペンサー装置１へのレシピデータの送信は、例えばBluetooth（登録商標）やＷｉ−Ｆｉ（登録商標）等の無線通信により行われる。
【００２３】
そして、ユーザ端末２からレシピデータを受信したディスペンサー装置１は、レシピデータに基づいて、必要な調味料を自動で排出する。
【００２４】
このように、本実施形態では、ユーザ端末２でレシピデータを選択し、選択したレシピデータをディスペンサー装置１に送信するだけで、ディスペンサー装置１から自動的に必要な分量の調味料が排出される。
【００２５】
＜２−２．ディスペンサー装置１の構成＞
次に、ディスペンサー装置１の構成について図３を参照して説明する。図３は、ディスペンサー装置１の内部構成の一例を示すブロック図である。
【００２６】
図３に示すように、ディスペンサー装置１は、制御部１０、通信部１１、複数のアクチュエータ１２、複数の調味料収容部１３、操作入力部１４、マイクロホン１５、センサ１６、表示部１７、スピーカ１８、および記憶部１９を有する。
【００２７】
制御部１０は、演算処理装置および制御装置として機能し、各種プログラムに従ってディスペンサー装置１内の動作全般を制御する。制御部１０は、例えばＣＰＵ（Central  Processing  Unit）、マイクロプロセッサ等の電子回路によって実現される。また、制御部１０は、使用するプログラムや演算パラメータ等を記憶するＲＯＭ（Read  Only  Memory）、及び適宜変化するパラメータ等を一時記憶するＲＡＭ（Random  Access  Memory）を含んでいてもよい。
【００２８】
また、本実施形態による制御部１０は、通信部１１を介して受信したレシピデータに基づいて、必要な分量の調味料を各調味料収容部１３から排出するようアクチュエータ１２を制御する。また、制御部１０は、レシピデータに示される調味料をユーザ状況に応じた配合となるよう、複数の調味料収容部１３からそれぞれ所定の分量の調味料を排出するように制御する。具体的には、制御部１０は、ユーザ状況を参照して排出する調味料の分量を算出する。ここで、ユーザ状況とは、例えば実食人数、ユーザの味の好み、ユーザの健康状態、またはユーザの属性（年代（大人、子供、高齢者）、性別、国や地域等）等である。制御部１０は、健康を気にするユーザや健康状態に応じて塩分を控えめ（具体的には、例えば醤油を少なめ）に調整したり、こってり味が好みのユーザの場合はみりんを多めにしたり、大人向けまたは子供向けのアレンジ（辛口、甘口）をしたり等、調味料の配合を算出する。ユーザの状況は、ユーザ端末２から取得してもよいし、記憶部１９に記憶された履歴等から取得してもよい。記憶部１９に調味料の排出履歴が記憶されている場合、制御部１０は、履歴からユーザの味の好みを判断し、自動でユーザ好みに合った調味料の分量を算出することも可能である。また、ユーザ状況として来訪者の情報を取得した場合、制御部１０は、来訪者の好みに合わせるよう、レシピデータの調味料の配合を調整する。
【００２９】
また、制御部１０は、排出する調味料に関する情報を表示部１７に表示してもよい。また、制御部１０は、ユーザによる音声入力や、操作入力（例えば排出ボタンのタップ）、若しくはセンサ１６により所定のトリガを検知したタイミングで、調味料を排出するよう制御する。所定のトリガとは、図１を参照して説明したように排出口付近で調理器具７を検知した場合の他、例えばディスペンサー装置１の上に手がかざされた等の所定のジェスチャーを検知した場合であってもよい。ユーザが調理中に手が汚れていてディスペンサー装置１を触りたくない場合であっても、このように音声入力やジェスチャー等によりハンズフリーで調味料を排出することができ、利便性が向上する。
【００３０】
若しくは、制御部１０は、ユーザの調理工程の進捗に応じて、排出する調味料を決定することも可能である。例えば制御部１０は、ディスペンサー装置１が有するカメラ、ユーザ端末２のカメラ、若しくはキッチンに設置されたカメラ等によりユーザの行動を認識し、レシピデータを参照してユーザの料理工程の進捗を把握し、現在ユーザが行っている（若しくは次に行おうとしている）調理工程に応じた調味料を排出するよう制御してもよい。
【００３１】
また、制御部１０は、排出する調味料の情報（例えば「醤油大匙１、みりん大匙１、塩少々」等）を表示部１７に表示したり、スピーカ１８から音声出力したりすることで、ユーザは次にどのような調味料が配合して排出されるかを把握することができる。また、料理の工程において段階毎に所定の分量の調味料が必要な場合もある。この場合、制御部１０は、レシピデータの料理工程に基づいて、例えば第１の工程に必要な調味料から順に排出するよう決定してもよい。また、制御部１０は、各工程で必要な調味料を表示し、ユーザにより指定された調味料を排出するようにしてもよい。また、複数のレシピデータがディスペンサー装置１に送信された場合も、制御部１０は、各料理の各工程で必要な調味料を表示したり、順に排出するよう排出順を決定したりする。
【００３２】
また、制御部１０は、ユーザ操作に応じて調味料を排出する際に、スピーカ１８からユーザへ調味料を排出する旨の通知を行うように制御してもよい。また、この際、制御部１０は、ユーザの健康状態に応じて、「塩分の取り過ぎです」等の健康上の注意を行うようにしてもよい。また、制御部１０は、排出した調味料の加工方法や、排出した調味料を使用する料理工程を音声で読み上げるよう制御してもよい。
【００３３】
通信部１１は、外部装置と接続し、データの送受信を行う機能を有する。例えば通信部１１は、Bluetooth、ZigBee（登録商標）、無線ＬＡＮ等により、ユーザ端末２と接続し、ユーザ端末２からレシピデータを受信する。また、通信部１１は、インターネットに接続し、ネットワーク状の所定のサーバとデータの送受信を行ってもよい。インターネット接続は、例えば無線ＬＡＮ（Local  Area  Network）、Ｗｉ−Ｆｉ（Wireless  Fidelity、登録商標）等を用いる。
【００３４】
アクチュエータ１２（１２ａ〜１２ｎ）は、調味料収容部１３（１３ａ〜１３ｎ）から所定分量の調味料を排出させる駆動装置である。調味料収容部１３（１３ａ〜１３ｎ）は、例えば醤油、みりん、酒、砂糖、塩、だし、ソース等の調味料をそれぞれ収容する。調味料収容部１３は、例えば市販の調味料容器をセットして用いてもよいし、専用の調味料容器に調味料を移し替えたものであってもよい。調味料収容部１３から所定分量の調味料を排出する構造は特に限定しないが、例えば図４および図５に示すような構造が考え得る。
【００３５】
図４および図５は、調味料収容部１３から調味料を排出する構造の一例を示す模式図である。例えば、図４の左側に示すように、調味料収容部１３の下部にポンプディスペンサー１３０を設け、ポンプディスペンサー１３０を駆動させることでタンク１３１に調味料を一旦収容し、タンク１３１から所定量の調味料を排出させる構造であってもよい。また、図１４の右側に示すように、調味料収容部１３から歯車ポンプ１３３により、所定量の調味料を排出させる構造であってもよい。
【００３６】
また、図５の左側に示すように、１つのポンプ１３５により、複数の調味料収容部１３（例えば調味料収容部１３ａ〜１３ｃ）に圧力を掛け、それぞれの弁１３６で排出する量を調整する構造であってもよい。また、図５の右側に示すように、例えば棒状部材１３７で調味料収容部１３を押圧し、調味料をタンク１３９に所定量収容させ、排出させる構造であってもよい。
【００３７】
操作入力部１４は、ユーザによる操作指示を受付け、その操作内容を制御部１０に出力する。操作入力部１４は、例えば表示部１７と一体的に設けられるタッチセンサ、圧力センサ、若しくは近接センサであってもよい。或いは、操作入力部１４は、ボタン、スイッチ、およびレバーなど、表示部１７と分離して設けられる物理的構成であってもよい。
【００３８】
マイクロホン１５は、周辺の音声を収音し、音声信号を制御部１０へ出力する。例えばマイクロホン１５は、ユーザによる調味料排出指示等の音声入力を受け付ける。
【００３９】
センサ１６は、調味料を排出するためのトリガを検知する。センサ１６は、例えば光センサであって、図１に示すように、ディスペンサー装置１の下部に調理器具７が配置されたことを検知し得る。
【００４０】
表示部１７は、排出する調味料の情報や、排出ボタン等を表示する。表示部１７は、例えば、液晶ディスプレイ（ＬＣＤ：Liquid  Crystal  Display）、有機ＥＬ（Electroluminescence）ディスプレイなどの表示装置であってもよい。
【００４１】
スピーカ１８は、音声出力を行う。例えばスピーカ１８は、制御部１０の制御に従って、調味料の排出を音声やアラームでユーザに通知する。
【００４２】
記憶部１９は、制御部１０の処理に用いられるプログラムや演算パラメータ等を記憶するＲＯＭ（Read  Only  Memory）、及び適宜変化するパラメータ等を一時記憶するＲＡＭ（Random  Access  Memory）により実現される。また、本実施形態による記憶部１９は、ユーザ情報（ユーザ属性や味の好み、健康状態等）や、受信したレシピデータ、さらに、調味料の排出履歴を記憶していてもよい。
【００４３】
また、ディスペンサー装置１は、排出する調味料を加工する機能拡張部１２０を有していてもよい。機能拡張部１２０は、例えばディスペンサー装置１に取り外し可能であって、ユーザは必要に応じて機能拡張部１２０を取り付ける。機能拡張部１２０の機能は、例えば加熱、撹拌、または泡立て等が想定される。機能拡張部１２０は、複数の調味料収容部１３から排出された所定量の調味料に対してレシピデータに従って所定の加工を行い、排出する。
【００４４】
以上、本実施形態によるディスペンサー装置１について説明した。なおディスペンサー装置１が有する構成は図３に示す例に限定されず、例えば表示部１７を有しない構成であってもよいし、ユーザ状況を得るためのカメラをさらに有する構成であってもよい。
【００４５】
＜２−３．ユーザ端末２の構成＞
図６は、本実施形態によるユーザ端末２の構成を示す図である。図６に示すように、ユーザ端末２は、制御部２０、通信部２１、操作入力部２２、音声入力部２３、表示部２４、音声出力部２５、および記憶部２６を有する。
【００４６】
制御部２０は、演算処理装置および制御装置として機能し、各種プログラムに従ってユーザ端末２内の動作全般を制御する。制御部２０は、例えばＣＰＵ（Central  Processing  Unit）、マイクロプロセッサ等の電子回路によって実現される。また、制御部２０は、使用するプログラムや演算パラメータ等を記憶するＲＯＭ（Read  Only  Memory）、及び適宜変化するパラメータ等を一時記憶するＲＡＭ（Random  Access  Memory）を含んでいてもよい。
【００４７】
また、本実施形態による制御部２０は、通信部２１を介して受信したレシピデータを表示部２４に表示するよう制御したり、決定されたレシピデータおよび入力されたユーザ状況を、通信部２１を介してディスペンサー装置１に送信して調味料の排出を指示したりする。さらに、制御部２０は、レシピデータおよびユーザ状況に基づいて、レシピデータに示される調味料をユーザ状況に応じた配合となるよう、ディスペンサー装置１の複数の調味料収容部からそれぞれ所定の分量の調味料を排出するように制御することも可能である。具体的には、制御部２０は、レシピデータおよびユーザ状況に基づいて適切な調味料の分量を算出し、算出結果をレシピデータと共にディスペンサー装置１に送信する。
【００４８】
通信部２１は、外部装置と接続し、データの送受信を行う機能を有する。例えば通信部２１は、Bluetooth、ZigBee（登録商標）、無線ＬＡＮ等により、ディスペンサー装置１と接続し、レシピデータやユーザ状況を送信する。また、通信部２１は、インターネットに接続し、ネットワーク状の所定のサーバからレシピデータを受信してもよい。インターネット接続は、例えば無線ＬＡＮ（Local  Area  Network）、Ｗｉ−Ｆｉ（Wireless  Fidelity、登録商標）等を用いる。
【００４９】
操作入力部２２は、ユーザによる操作入力を検出し、検出した入力信号を制御部２０に出力する。この操作入力部２２は、タッチパネル、スイッチ、またはボタン等により実現される。
【００５０】
音声入力部２３は、ユーザ音声を収音し、音声信号を制御部２０に出力する。制御部２０では音声認識が行われ得る。
【００５１】
表示部２４は、レシピデータやユーザ状況の入力画面等、種々の画面を出力する表示装置である。この表示部２４は、例えば、液晶ディスプレイ（ＬＣＤ：Liquid  Crystal  Display）、有機ＥＬ（Electroluminescence）ディスプレイなどの表示装置であってもよい。
【００５２】
音声出力部２５は、音声データを出力する出力装置である。例えば、音声出力部２５は、レシピデータを読み上げる音声信号を再生してもよい。
【００５３】
記憶部２６は、制御部２０の処理に用いられるプログラムや演算パラメータ等を記憶するＲＯＭ（Read  Only  Memory）、及び適宜変化するパラメータ等を一時記憶するＲＡＭ（Random  Access  Memory）により実現される。
【００５４】
以上、ユーザ端末２の構成について説明した。なおユーザ端末２の構成は、図６に示す例に限定されず、例えばカメラを有し、カメラで撮像した撮像画像に基づいてユーザ状況を取得してもよい。また、本実施形態によるユーザ端末２は、図２に示すようなスマートフォンの他、例えばタブレット端末、携帯電話端末、ウェアラブル端末（ＨＭＤ、透過式メガネ型ウェアラブル端末（スマートグラス）、スマートバンド、スマートウォッチ、スマートネック等）、ゲーム機、または音楽プレーヤー等により実現されてもよい。
【００５５】
＜２−４．動作処理＞
次に、本実施形態による情報処理システムの動作処理について図７を参照して説明する。図７は、本実施形態による動作処理を示すシーケンス図である。
【００５６】
図７に示すように、まず、ユーザ端末２は、ユーザによる操作に従って、レシピ検索を行う（ステップＳ１０３）。例えばユーザ端末２は、レシピサイト４１と接続し、ユーザにより入力された検索条件（レシピのキーワード等）をレシピサイト４１に送信する。
【００５７】
次に、ユーザ端末２の制御部２０は、検索されたレシピデータをレシピサイト４１から取得し、表示部２４に表示する（ステップＳ１０６）。ここで、図８に、ユーザ端末２におけるレシピ検索画面の一例を示す。図８に示すように、例えば表示部２４には、検索条件入力欄２４１と、検索ボタン２４２と、検索結果表示画面２４３が表示される。ユーザは、検索結果表示画面２４３から作りたいレシピを選択する。
【００５８】
次いで、制御部２０は、検索結果からユーザが選択したレシピデータの詳細画面を表示する（ステップＳ１０９）。レシピデータの詳細画面には、料理の材料や手順が表示される。また、本実施形態では、レシピデータの詳細画面に、実食人数や好みの味加減等のユーザ状況を入力する入力欄も表示される。ここで、図９に、ユーザ端末２におけるレシピデータの詳細画面の一例を示す。図９に示すように、例えば表示部２４には、料理の材料表示２４５と、料理の手順表示２４６が表示される。また、画面をスクロールすると、図１０に示すように、実食人数の入力ボタン２４７（例えば、１〜５人）と、味付けを調整するスライダー２４８が表示されている。味付けは、例えば「あっさり」または「こってり」の調整をスライダー操作により入力することが可能である。例えばあっさり目が好きな場合に、配合する調味料をどのように調整してよいかユーザ自ら判断することは難しいため、本実施形態のように味付け調整を行うことで、ディスペンサー装置１側で自動的に好みの味付けに応じた調味料が算出され得る。
【００５９】
次に、ユーザにより実食人数および味加減の設定が行われ（ステップＳ１１２）、作るボタンが押圧されると（ステップＳ１１５）、制御部２０は、レシピデータと、設定された実食人数等のユーザ状況をディスペンサー装置１に送信する（ステップＳ１１８）。
【００６０】
次いで、ディスペンサー装置１の制御部１０は、受信したレシピデータと、ユーザ状況に基づいて、必要な調味料の分量の算出や、排出順の決定を行う（ステップＳ１２１）。例えばレシピデータが二人分のレシピであって、設定された実食人数が五人である場合、制御部１０は、レシピデータに基づいて五人分の調味料の分量を算出する。また、制御部１０は、レシピデータに示される料理工程に基づいて、排出する調味料の順序を決定する。例えば第１の工程で、醤油を大匙１、みりん大匙１、および酢小匙１を合わせた調味料Ａを用い、次の工程で、砂糖を小匙１、醤油を大匙１、および酒を大匙１を合わせた調味料Ｂを用いるといった料理工程の場合、制御部１０は、第１に調味料Ａを配合して排出し、次に調味料Ｂを配合して排出するよう決定する。
【００６１】
次に、ディスペンサー装置１は、ユーザ操作の待機状態となり（ステップＳ１２４）、操作待ちであることを表示する（ステップＳ１２７）。例えば、排出ボタンを表示部１７に表示したり、「排出ボタンをタップしてください」等の表示を行う。ここで、図１１に、本実施形態による排出待機時の表示部１７における表示画面例を示す。
【００６２】
図１１に示すように、例えばディスペンサー装置１の上面に設けられた表示部１７には、工程毎に排出する調味料に関する表示１７１と、排出ボタン１７２が表示されている。ディスペンサー装置１は、例えば現在排出指示を待っている工程の排出ボタン１７２を点滅させる。
【００６３】
次いで、ユーザ操作があった場合（ステップＳ１３０／Ｙｅｓ）、制御部１０は、所定の分量の調味料を排出するように制御する（ステップＳ１３３）。例えば図１１に示す表示部１７に表示された排出ボタン１７２がタップされた場合、制御部１０は、第１の工程における調味料を配合して排出する。なお制御部１０は、排出ボタン１７２がタップされた上で、センサ１６により調理器具７を検知した場合に調味料を排出するように制御してもよい。
【００６４】
以上、第１の実施形態による動作処理について具体的に説明した。なお、上述した実施形態では、実食人数の入力を行っているが、レシピデータ通りの分量の調味料をそのままディスペンサー装置１に排出させることも可能である。レシピデータ通りであっても、各調味料を１つ１つ手作業で測ることは面倒であるため、ディスペンサー装置１で所定の分量が自動的に排出されれば、料理の作業工程は格段に効率化される。
【００６５】
また、上述した実施形態では、ユーザの味の好み等に応じてディスペンサー装置１側で自動的に調味料の分量を算出する旨を説明したが、本実施形態はこれに限定されず、例えばそれぞれの調味料の割合をユーザが決定することも可能である。ここで、図１２に、調味料の分量の設定画面の一例を示す。
【００６６】
図１２に示すように、レシピデータに基づいて、料理工程毎に必要な調味料が列挙される。ユーザは、醤油を多めにしたい場合は醤油のスライダーをプラス方向に操作し、また、あっさりした味にしたい場合はみりんのスライダーをマイナス方向に操作したりする。ユーザ端末２は、ユーザの味の好み情報として、調整結果をレシピデータと共にディスペンサー装置１へ送信する。また、図１２に示すように、ユーザ端末２側に排出ボタン２５１を表示してもよい。排出ボタン２５１がタップされると、ユーザ端末２は、ディスペンサー装置１に排出指示を送信し、ディスペンサー装置１は調味料の所定分量の排出を行う。この際、例えばディスペンサー装置１の下部に、排出された調味料を受け取るカップ等が配置されているようにしてもよい。また、ユーザ端末２がディスペンサー装置１にセットされている調味料の種類と残量情報を把握している場合、足りない調味料がある場合は図１２に示すように、「補充して下さい」等の通知を表示や音声で行うことが可能である。ユーザは、不足したまま調味料の排出を指示してもよいし、足りない調味料をディスペンサー装置１に補充した上で排出を指示してもよい。また、ディスペンサー装置１により、足りない調味料を他の調味料で代替できると判断された場合、代替可能である旨が表示され、ユーザは代替調味料を用いた調味料の排出を指示することも可能である。また、代替調味料をユーザが手作業で入力してもよい。
【００６７】
なお、図１０や図１２に示す、実食人数、味付け、調味料の分量の割合い等の設定は、ユーザ端末２側に限定されず、ディスペンサー装置１側で設定できるようにしてもよい。この場合、ディスペンサー装置１は、ユーザ端末２から送信されたレシピデータに基づいて、図１０や図１２に示す、実食人数、味付け、調味料の分量の割合い等の設定画面を表示部１７に表示し、ユーザによる操作入力や音声入力を受け付ける。
【００６８】
＜＜３．第２の実施形態＞＞
次に、第２の実施形態について図１３〜図１５を参照して説明する。
【００６９】
＜３−１．概要＞
上述した第１の実施形態では、レシピデータをユーザ端末２からディスペンサー装置１に直接送信しているが、本開示はこれに限定されず、例えばホームネットワークやインターネットを介してレシピデータをディスペンサー装置１に送信するようにしてもよい。
【００７０】
図１３は、第２の実施形態による情報処理システムの全体構成について説明する図である。図１３に示すように、第２の実施形態による情報処理システムは、ディスペンサー装置１、ユーザ端末２、およびサーバ３を含む。
【００７１】
ディスペンサー装置１およびユーザ端末２は、ホームネットワークサーバ５とBluetooth、Wi−Fi、または無線LAN等により無線接続し、データの送受信を行い得る。
【００７２】
また、ホームネットワークサーバ５は、インターネット４を介して、レシピサイト４１やサーバ３と接続し得る。なおユーザ端末２は、ホームネットワークサーバ５を介さずにインターネット４に接続することも可能である。
【００７３】
ユーザ端末２は、第１の実施形態と同様に、レシピサイト４１から所望のレシピデータを受信し、ユーザによりＯＫボタン（または「作るボタン」と表示されていてもよい）がタップされると、レシピデータおよび入力されたユーザ状況をサーバ３へ送信する。
【００７４】
サーバ３は、レシピデータおよびユーザ状況に基づいて、適切な調味料の分量を算出し、ディスペンサー装置１に算出結果を送信する。
【００７５】
ディスペンサー装置１は、サーバ３から受信した算出結果に基づいて、所定の分量の調味料を排出する。
【００７６】
このように、第２の実施形態では、サーバ３側でレシピデータに基づいて調味料の分量を算出することが可能である。
【００７７】
＜３−２．サーバ３の構成＞
図１４は、本実施形態によるサーバ３の構成の一例を示すブロック図である。図１４に示すように、サーバ３は、制御部３０、通信部３１、および記憶部３２を有する。
【００７８】
制御部３０は、演算処理装置および制御装置として機能し、各種プログラムに従ってサーバ３内の動作全般を制御する。制御部３０は、例えばＣＰＵ（Central  Processing  Unit）、マイクロプロセッサ等の電子回路によって実現される。また、制御部３０は、使用するプログラムや演算パラメータ等を記憶するＲＯＭ（Read  Only  Memory）、及び適宜変化するパラメータ等を一時記憶するＲＡＭ（Random  Access  Memory）を含んでいてもよい。
【００７９】
また、本実施形態による制御部３０は、通信部３１を介してユーザ端末２から受信したレシピデータに基づいて、必要な分量の調味料をディスペンサー装置１から排出するよう制御する制御信号をディスペンサー装置１に送信する。また、制御部３０は、取得したユーザ状況を参照し、ディスペンサー装置１で排出する調味料の分量を適切に算出する機能を有する。算出内容の詳細については第１の実施形態と同様であるため、ここでの詳細な説明は省略する。
【００８０】
通信部３１は、外部装置と接続し、データの送受信を行う機能を有する。例えば通信部３１は、有線／無線ＬＡＮ等により、インターネット４を介してユーザ端末２やディスペンサー装置１と接続し、データの送受信を行う。
【００８１】
記憶部３２は、制御部３０の処理に用いられるプログラムや演算パラメータ等を記憶するＲＯＭ（Read  Only  Memory）、及び適宜変化するパラメータ等を一時記憶するＲＡＭ（Random  Access  Memory）により実現される。また、本実施形態による記憶部３２は、各ユーザの情報（ユーザ属性や味の好み、健康状態等）や、受信したレシピデータ、さらに、各ユーザの調味料の排出履歴を記憶していてもよい。
【００８２】
＜３−３．動作処理＞
図１５は、本実施形態による動作処理を示すシーケンス図である。図１５に示すように、まず、ユーザ端末２は、第１の実施形態と同様に、ユーザによる操作に従ってレシピ検索を行い（ステップＳ２０３）、検索されたレシピデータをレシピサイト４１から取得し、表示部２４に表示する（ステップＳ２０６）。
【００８３】
次いで、制御部２０は、検索結果からユーザが選択したレシピデータの詳細画面を表示する（ステップＳ２０９）。
【００８４】
次に、ユーザにより実食人数および味加減の設定が行われ（ステップＳ２１２）、作るボタンが押圧されると（ステップＳ２１５）、制御部２０は、レシピデータと、設定された実食人数等のユーザ状況、さらに予め登録されたディスペンサー装置１のＩＤをサーバ３に送信する（ステップＳ２１８）。
【００８５】
次いで、サーバ３の制御部３０は、受信したレシピデータとユーザ状況に基づいて、必要な調味料の分量の算出や、排出順の決定を行う（ステップＳ２２１）。
【００８６】
続いて、サーバ３は、レシピデータ、算出結果、および決定した排出順の情報を、ユーザ端末２から送信されたＩＤに紐付けられたディスペンサー装置１に送信する（ステップＳ２２２）。
【００８７】
次に、ディスペンサー装置１は、ユーザ操作の待機状態となり（ステップＳ２２４）、操作待ちであることを表示する（ステップＳ２２７）。
【００８８】
次いで、ユーザ操作があった場合（ステップＳ２３０／Ｙｅｓ）、制御部１０は、所定の分量の調味料を排出するように制御する（ステップＳ２３３）。
【００８９】
以上、第２の実施形態による動作処理について具体的に説明した。
【００９０】
＜＜４．第３の実施形態＞＞
次に、第３の実施形態について図１６〜図１７を参照して説明する。
【００９１】
上述した各実施形態では、ユーザ端末２がネットワーク上のレシピサイト４１からレシピデータを取得しているが、本開示はこれに限定されない。
【００９２】
図１６は、本実施形態による情報処理システムの全体構成について説明する図である。図１６に示すように、ユーザ端末２は、例えばインターネット４を介して接続する連携サービスからレシピデータを取得することも可能である。
【００９３】
連携サービスとは、例えば上述したレシピサイト４１の他、番組サイト４２、味再現サイト４３、健康／医療サイト４４、または食材宅配サイト４５等である。
【００９４】
例えばレシピサイト４１からは、料理専門家または一般ユーザにより公開されているレシピデータを検索して取得することができる。
【００９５】
また、番組サイト４２からは、テレビ番組で紹介された料理のレシピデータを取得することができる。例えばユーザがテレビ装置６１を見ていて、料理番組や情報番組で紹介された料理が気になった場合、リモートコントローラまたはユーザ端末２等でレシピデータの取得要求を指示する。テレビ装置６１は、連携する番組サイト４２に問い合わせを行い、対象のレシピデータを受信すると、ユーザ端末２にレシピデータを送信することが可能である。
【００９６】
また、味再現サイト４３は、映画やアニメ等のエンターテインメントコンテンツと連動し、映画やアニメで登場する料理のレシピデータを公開している。ユーザ端末２は、味再現サイト４３に接続し、例えばアニメのキャラクターが食べているものと同じ味を再現するレシピデータを取得することが可能である。
【００９７】
また、健康／医療サイト４４からは、健康や医療を考慮したレシピデータを取得することができる。また、ユーザ端末２からユーザの属性（性別、年齢、身長、体重、健康状態等）を入力することで、ユーザの健康状態に応じた、または医療的な観点から最適なレシピデータを取得することができる。
【００９８】
食材宅配サイト４５は、ユーザ宅に宅配した食材を用いたレシピデータを公開する。例えばユーザ端末２は、宅配された食材と共に梱包された用紙に印刷されたＱＲコード（登録商標）を読み取って食材宅配サイト４５に接続し、宅配された食材を用いたレシピデータを取得することができる。
【００９９】
ここで、連携サービスの選択画面の一例を図１７に示す。図１７に示すように、例えば表示部２４には、レシピサイト４１のアイコン２５５、味再現サイト４３のアイコン２５３、および健康／医療サイト４４のアイコン２５４等が表示され、ユーザは任意のアイコンをタップし、各連携サービスを利用することが可能である。例えばレシピサイト４１のアイコン２５５をタップした場合は、図８に示すようなレシピデータ検索画面が表示され得る。
【０１００】
また、上述したレシピデータの取得は、ユーザ端末２からに限定されず、ＰＣ６２から行ってもよい。ＰＣ６２は、連携サービス等からレシピデータを取得すると、入力されたユーザ状況と共に、ディスペンサー装置１に送信する。
【０１０１】
また、図示していないが、ユーザ端末２やＰＣ６２は、ＳＮＳや動画サイトにアップされたレシピデータを取得してもよい。これにより、例えば有名人やユーザの友人、家族等がアップロードしたレシピデータを取得して、他ユーザによる味付けを、ディスペンサー装置１で再現することが可能となる。
【０１０２】
また、ユーザ端末２から要求に応じて、サーバ３が、連携サービスやＳＮＳ、動画サイトから取得した情報に基づいてレシピデータを生成し、ユーザ端末２に送信してもよい。
【０１０３】
また、ユーザ端末２またはディスペンサー装置１は、ユーザが利用したレシピデータの履歴（例えば料理名、日時、および排出した調味料のデータが紐付けられた履歴）に基づいて、ユーザの好みを学習し、自動的にレシピデータを生成してもよい。
【０１０４】
また、ユーザ端末２またはディスペンサー装置１は、ユーザが手動で入力した味付け（調味料の配合）を履歴として記録し、ユーザの好みの傾向を取得したり、記録したユーザの味付けをＳＮＳにアップロードして友人や家族、若しくは一般ユーザに向けて公開してもよい。また、ユーザ端末２またはディスペンサー装置１は、味付けの記録の他、ユーザの料理工程をディスペンサー装置１やキッチンに設置されたカメラで撮像し、撮像画像および味付け情報に基づいてユーザオリジナルのレシピデータを自動的に生成、記録、およびＳＮＳ等へのアップロードを行うことも可能である。
【０１０５】
＜＜５．補足＞＞
続いて、上述した本開示による情報処理システムの補足説明を行う。
【０１０６】
（調味料の消費傾向の利用）
サーバ３は、各ディスペンサー装置１で排出された調味料の情報を収集し、調味料の消費傾向データ（マーケティング用途の情報）として、食品メーカーやレシピサイトにとって価値のある情報を出力すること可能である。
【０１０７】
（残量管理）
調味料収容部１３の中身が外部から見えない構造の場合、ディスペンサー装置１で調味料収容部１３の残量を検知し、ディスペンサー装置１またはユーザ端末２からユーザに通知することが可能である。
【０１０８】
また、ディスペンサー装置１またはユーザ端末２は、残量が少なくなった場合、自動的にインターネット注文を行って宅配を依頼することが可能である。
【０１０９】
また、ディスペンサー装置１またはユーザ端末２は、調味料の残量に合わせたレシピデータを検索、推薦することも可能である。
【０１１０】
（調味料の管理）
本実施形態によるディスペンサー装置１は、調味料が劣化しにくいように、調味料収容部１３を空気が入らない構造にしておいてもよい。
【０１１１】
また、ディスペンサー装置１は、調味料の劣化を防ぐため、調味料収容部１３周辺の温度や湿度を一定に保つ構造を有していてもよい。具体的には、例えば調味料収容部１３は光による調味料劣化を防止する構造を有する。光による調味料劣化を防止する構造とは、光を完全に遮る素材や、光の量によって色が変わる素材により形成され得る。また、ディスペンサー装置１が、調味料収容部１３を覆う可動式の蓋部を有し、通常時は調味料が見える様に収納され、光を検出すると自動的に蓋部で覆うように制御して調味料の劣化を防いでもよい。
【０１１２】
また、ディスペンサー装置１は、調味料が固まらないように調味料収容部１３を定期的に振動させる構造を有していてもよい。
【０１１３】
また、ディスペンサー装置１は、洗浄用の水を溜めておいて、排出口や調味料を搬送するチューブを定期的に自動で洗浄することも可能である。
【０１１４】
また、ディスペンサー装置１は、調味料が詰め替えられた際に、何の調味料がセットされたかを自動で判別し得る。具体的には、例えば調味料収容部１３が取り替え式の場合、新しい調味料収容部１３（例えばボトル状）がセットされると、ディスペンサー装置１は、調味料収容部１３に付加されたタグ（電子タグや、バーコードのようなマーカー）を読み取ることで、何の調味料がセットされたかを判別し得る。また、調味料毎に調味料収容部１３の形状が異なる場合（市販の調味料ボトルを調味料収容部１３として用いた場合等）、ディスペンサー装置１は、調味料収容部１３の形状を検知することで調味料を判別することも可能である。若しくは、ディスペンサー装置１は、カメラなどで調味料収容部１３を撮像し、撮像画像を解析して物体認識等を行って調味料を判別してもよい。
【０１１５】
また、ディスペンサー装置１は、足りない調味料をユーザに通知した際に調味料収容部１３が取り替えられた場合、足りない調味料が補充されたものと認識してもよい。
【０１１６】
また、ディスペンサー装置１は、調味料収容部１３の代わりに洗浄用の収容部がセットされたことを検知した場合、自動洗浄を行う。調味料排出と同様に洗浄用の水を排出することで、チューブや排出口を洗浄することが可能である。洗浄のタイミングはディスペンサー装置１側で判断し、「洗浄用ボトルをセットして下さい」等の案内を適切なタイミングでユーザに通知してもよい。
【０１１７】
＜＜６．まとめ＞＞
上述したように、本開示の実施形態による情報処理システムでは、料理工程における調味料調合の利便性を向上させることが可能となる。
【０１１８】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１９】
例えば、上述したディスペンサー装置１、ユーザ端末２、またはサーバ３に内蔵されるＣＰＵ、ＲＯＭ、およびＲＡＭ等のハードウェアに、ディスペンサー装置１、ユーザ端末２、またはサーバ３の機能を発揮させるためのコンピュータプログラムも作成可能である。また、当該コンピュータプログラムを記憶させたコンピュータ読み取り可能な記憶媒体も提供される。
【０１２０】
また、上述した情報処理システムでは、所定分量の１以上の調味料を排出するディスペンサー装置１について説明したが、本開示はこれに限定されず、ディスペンサー装置１は、各種レシピデータやユーザ状況に基づいて、薬や漢方の調合、コーヒー、紅茶、お茶等のフレーバーの調合、ハーブ、香水の調合、化学液体、塗料の調合、お酒やカクテルの調合、化粧品の調合等を行うことも可能である。
【０１２１】
また、本開示による情報処理システムでは、個人ユーザがレシピサイトでレシピを検索してレシピデータを入力する場合に限定されず、例えば飲食店等においてタブレット端末若しくは専用の端末にオーダーを入力するようにしてもよい。ユーザは、オーダーする際、ユーザの嗜好、要求、人数等の情報を入力してもよい。あるいは、会員番号を入力すると、該ユーザの過去の利用履歴を取得し、履歴情報を調理料の分量の調整に用いてもよい。また、電子タグを埋め込んだカードを用いてレシピデータを入力するようにしてもよい。
【０１２２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１２３】
なお、本技術は以下のような構成も取ることができる。
（１）
入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御する制御部を備える、情報処理装置。
（２）
前記制御部は、ユーザ状況として取得した人数に対応する調味料の分量を、前記レシピデータから算出する、前記（１）に記載の情報処理装置。
（３）
前記制御部は、ユーザ状況として取得したユーザの好みの味に対応する調味料の分量を、前記レシピデータから算出する、前記（１）または（２）に記載の情報処理装置。
（４）
前記制御部は、ユーザ状況として取得したユーザの健康状態に適した調味料の分量を、前記レシピデータから算出する、前記（１）〜（３）のいずれか１項に記載の情報処理装置。
（５）
前記制御部は、ユーザ状況として取得したユーザの属性に適した調味料の分量を、前記レシピデータから算出する、前記（１）〜（４）のいずれか１項に記載の情報処理装置。
（６）
前記制御部は、前記レシピデータに示される料理工程に基づいて、調味料排出の順序を決定する、前記（１）〜（５）のいずれか１項に記載の情報処理装置。
（７）
前記制御部は、所定のトリガを検出した際に、前記調味料収容部からの調味料の排出を開始するように制御する、前記（１）〜（６）のいずれか１項に記載の情報処理装置。
（８）
前記所定のトリガは、排出口付近に前記調味料を受け取る調理器具が認識された場合である、前記（７）に記載の情報処理装置。
（９）
前記所定のトリガは、ユーザによる排出指示の操作、音声、またはジェスチャーによる入力である、前記（７）に記載の情報処理装置。
（１０）
前記情報処理装置は、
調味料を収納する複数の調味料収容部と、
前記調味料を排出する排出口と、
通信部と、
をさらに備えるディスペンサー装置であり、
前記通信部は、前記レシピデータおよびユーザ状況を外部装置から受信する、前記（１）〜（９）のいずれか１項に記載の情報処理装置。
（１１）
前記情報処理装置は、
前記レシピデータおよびユーザ状況に基づく調味料の排出を指示するボタンを表示する表示部をさらに備える、前記（１０）に記載の情報処理装置。
（１２）
前記情報処理装置は、
前記レシピデータおよびユーザ状況の入力画面を表示し、さらに前記レシピデータおよびユーザ状況をディスペンサー装置に送信するように指示するボタンを表示する表示部をさらに備える、前記（１）〜（６）のいずれか１項に記載の情報処理装置。
（１３）
前記レシピデータは、インターネット上の所定のサービスサーバから取得される、前記（１）〜（１２）のいずれか１項に記載の情報処理装置。
（１４）
プロセッサが、
入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御することを含む、制御方法。
（１５）
コンピュータを、
入力されたレシピデータおよびユーザ状況に基づいて、前記レシピデータに示される調味料を前記ユーザ状況に応じた配合となるよう、複数の調味料収容部からそれぞれ所定の分量の調味料を排出するように制御する制御部として機能させるためのプログラムが記憶された、記憶媒体。
【符号の説明】
【０１２４】
１  ディスペンサー装置
１０  制御部
１１  通信部
１２  アクチュエータ
１３  調味料収容部
１４  操作入力部
１５  マイクロホン
１６  センサ
１７  表示部
１８  スピーカ
１９  記憶部
２  ユーザ端末
２０  制御部
２１  通信部
２２  操作入力部
２３  音声入力部
２４  表示部
２５  音声出力部
２６  記憶部
３  サーバ
３０  制御部
３１  通信部
３２  記憶部
４  インターネット
４１  レシピサイト
４２  番組サイト
４３  味再現サイト
４４  医療サイト
４５  食材宅配サイト
５  ホームネットワークサーバ
７  調理器具
８  調味料
【図１】
2018040568.tif 000003
【図２】
2018040568.tif 000004
【図３】
2018040568.tif 000005
【図４】
2018040568.tif 000006
【図５】
2018040568.tif 000007
【図６】
2018040568.tif 000008
【図７】
2018040568.tif 000009
【図８】
2018040568.tif 000010
【図９】
2018040568.tif 000011
【図１０】
2018040568.tif 000012
【図１１】
2018040568.tif 000013
【図１２】
2018040568.tif 000014
【図１３】
2018040568.tif 000015
【図１４】
2018040568.tif 000016
【図１５】
2018040568.tif 000017
【図１６】
2018040568.tif 000018
【図１７】
2018040568.tif 000019